(57)【要約】【課題】  シュレッダーを具えたペダル式ごみ箱の提供。【解決手段】  ごみ箱本体と、該ごみ箱本体底部に設けられたペダルに接続されてごみ箱本体上方に開閉可能に設置された蓋体とを具えたごみ箱において、該蓋体の底端にシュレッダーが設けられ、並びに蓋体表面にシュレッダーに対応する長方形開口、スイッチ及び覗き窓が設けられ、廃紙を該長方形開口より挿入し、シュレッダーで切断し、並びに切断した紙を下方の出口よりごみ箱本体内に落とし、ペダルを踏む時に蓋体を開放して一般のゴミを捨てることができるよう形成されている。【選択図】        図３
0003105100.tif 000002
【実用新案登録請求の範囲】
【請求項１】
ごみ箱本体と、該ごみ箱本体底部に設けられたペダルに支持片を介して接続されてごみ箱本体上方に開閉可能に設置された蓋体とを具えたごみ箱において、
該蓋体の底端にシュレッダーが設けられ、並びに蓋体表面にシュレッダーに対応する長方形開口が設けられ、該長方形開口より投入される廃紙をシュレッダーにより切断でき、切断した廃紙をシュレッダーの下方出口より直接ごみ箱本体内に落とすことができ、且つ使用者がペダルを踏んで蓋体を開放させた後、ゴミを廃棄でき、支持片とごみ箱本体の間に緩衝構造が設けられ、支持片が蓋を押し上げた後に下降する時の緩衝を行ない、蓋体の重力によるごみ箱本体との直接衝突が防止されたことを特徴とする、シュレッダーを具えたペダル式ごみ箱。
【請求項２】
請求項１記載のシュレッダーを具えたペダル式ごみ箱において、支持片とごみ箱本体間の緩衝構造が、支持片に設けられた三角状のリブと、ごみ箱本体の表面に平行に設けられた嵌合溝に収容された鋸歯状ゴム片で構成され、リブ両側とゴム片の噛み合い摩擦抵抗により緩衝作用が形成されることを特徴とする、シュレッダーを具えたペダル式ごみ箱。
【請求項３】
請求項１記載のシュレッダーを具えたペダル式ごみ箱において、蓋体の底部に蓋体閉合時の緩衝作用を形成するゴムフレームが設けられたことを特徴とする、シュレッダーを具えたペダル式ごみ箱。
【請求項４】
請求項１記載のシュレッダーを具えたペダル式ごみ箱において、ごみ箱本体の開口内縁に押し棒が設けられ、該押し棒のシュレッダーのマイクロスイッチに対する押圧及び押圧解除により、蓋体閉合時の電源導通或いは開放時の電源切断が構成されて使用者が誤ってシュレッダーに接触することによる危険を防止したことを特徴とする、シュレッダーを具えたペダル式ごみ箱。
【考案の詳細な説明】
【技術分野】
【０００１】
本考案は一種のシュレッダーを具えたペダル式ごみ箱に係り、特にシュレッダー機能と一般のごみ箱の機能を兼ね備えたごみ箱に関する。
【背景技術】
【０００２】
一般のシュレッダーは独立した形態とされ、このため、廃紙を切断後、切断した紙を更にゴミ箱に捨てなければならず、使用上不便である。このため、既にごみ箱に横向きにシュレッダーを跨設したものが提供されており、それは図１に示されるように、シュレッダー１がごみ箱２の開口部分に取付られ、切断後の廃紙が直接ごみ箱２内に落ちる。このような製品は切断後の紙を捨てる煩わしさを解消するが、シュレッダー１がごみ箱２の開口の大きな面積を占有するために手でごみを捨てる時の障害となり、且つカッタがシュレッダーの底部より突出しているため、毎回ごみを廃棄する時にシュレッダー１を取り外す時に危険であり、且つ使用時の騒音が大きく、理想的でない。
【考案の開示】
【考案が解決しようとする課題】
【０００３】
本考案の主要な目的は、シュレッダーを具えたペダル式ごみ箱を提供することにあり、それは、切断後の紙を直接回収でき且つ一般のごみ箱の作用も具備し、シュレッダーの使用に便利であり実用的であるものとする。
【課題を解決するための手段】
【０００４】
請求項１の考案は、ごみ箱本体と、該ごみ箱本体底部に設けられたペダルに支持片を介して接続されてごみ箱本体上方に開閉可能に設置された蓋体とを具えたごみ箱において、  該蓋体の底端にシュレッダーが設けられ、並びに蓋体表面にシュレッダーに対応する長方形開口が設けられ、該長方形開口より投入される廃紙をシュレッダーにより切断でき、切断した廃紙をシュレッダーの下方出口より直接ごみ箱本体内に落とすことができ、且つ使用者がペダルを踏んで蓋体を開放させた後、ゴミを廃棄でき、支持片とごみ箱本体の間に緩衝構造が設けられ、支持片が蓋を押し上げた後に下降する時の緩衝を行ない、蓋体の重力によるごみ箱本体との直接衝突が防止されたことを特徴とする、シュレッダーを具えたペダル式ごみ箱としている。
請求項２の考案は、請求項１記載のシュレッダーを具えたペダル式ごみ箱において、支持片とごみ箱本体間の緩衝構造が、支持片に設けられた三角状のリブと、ごみ箱本体の表面に平行に設けられた嵌合溝に収容された鋸歯状ゴム片で構成され、リブ両側とゴム片の噛み合い摩擦抵抗により緩衝作用が形成されることを特徴とする、シュレッダーを具えたペダル式ごみ箱としている。
請求項３の考案は、請求項１記載のシュレッダーを具えたペダル式ごみ箱において、蓋体の底部に蓋体閉合時の緩衝作用を形成するゴムフレームが設けられたことを特徴とする、シュレッダーを具えたペダル式ごみ箱としている。
請求項４の考案は、請求項１記載のシュレッダーを具えたペダル式ごみ箱において、ごみ箱本体の開口内縁に押し棒が設けられ、該押し棒のシュレッダーのマイクロスイッチに対する押圧及び押圧解除により、蓋体閉合時の電源導通或いは開放時の電源切断が構成されて使用者が誤ってシュレッダーに接触することによる危険を防止したことを特徴とする、シュレッダーを具えたペダル式ごみ箱としている。
【考案の効果】
【０００５】
本考案によると、シュレッダーは開閉自在の蓋体に設置されてごみ箱本体に組み合わされ、切断後の廃紙は直接ごみ箱本体に回収され、一般のごみ箱の機能も具備する。ゆえに本考案は、実用的で新規性を具えた創作であるといえる。
【考案を実施するための最良の形態】
【０００６】
本考案のシュレッダーを具えたペダル式ごみ箱は、ごみ箱本体と、該ごみ箱本体底部に設けられたペダルに接続されてごみ箱本体上方に開閉可能に設置された蓋体とを具えたごみ箱において、該蓋体の底端にシュレッダーが設けられ、並びに蓋体表面にシュレッダーに対応する長方形開口、スイッチ及び覗き窓が設けられ、廃紙を該長方形開口より挿入し、シュレッダーで切断し、並びに切断した紙を下方の出口よりごみ箱本体内に落とし、ペダルを踏む時に蓋体を開放して一般のゴミを捨てることができるよう形成されている。
【０００７】
前述のシュレッダーは、ごみ箱本体後端に滑り溝が設けられ、ペダルに接続された支持片が設けられて蓋体を押し上げて開放するのに用いられ、且つ該支持片に三角状のリブが設けられ、並びにごみ箱本体の滑り溝に平行な長状嵌合溝が設けられ、鋸歯状の軟性ゴム片が挿入され、支持片が上に押し上げられた後に滑り下りる時、ゴム片の阻止による緩衝作用が得られ、これにより蓋体が直接ごみ箱本体に衝突してシュレッダーの損壊を形成するのを防止している。
【実施例１】
【０００８】
図２、３、４に示されるように、本考案はごみ箱本体３を具え、該ごみ箱本体３の上端の開口後端にフック３１が設けられて蓋体４を係止し、蓋体４が開閉自在とされ、蓋体４の底部にゴムフレーム４０が設けられ、蓋体４が閉じ合わされる時の緩衝作用を形成し、蓋体４の直接ごみ箱本体３に衝突することによる損壊を防止している。該ごみ箱本体３は後端表面に滑り溝３２を具え、該滑り溝３２に支持片３３が収容され、該支持片３３の底端はごみ箱本体３底部のペダル３４に接続され、ペダル３４が使用者により踏まれることで支持片３３が上昇し蓋体４を押し上げて蓋体４を開放させる。該ごみ箱本体３の滑り溝３２の適当な位置に平行な長状嵌合溝３５が設けられ、該長状嵌合溝３５に鋸歯状の軟性ゴム片３６が収容され、該支持片３３に三角状のリブ３３１が設けられ、該支持片３３が上昇後に、蓋体４の重力を受けて下降する時、該リブ３３１の両側と軟性ゴム片３６の噛み合い摩擦抵抗により、緩衝作用が形成され、蓋体４のごみ箱本体３との直接衝突が防止される。
【０００９】
該蓋体４は底端にシュレッダー５を具え、並びに蓋体４の表面にシュレッダー５の入口５１に対応する長方形開口４１と、電源スイッチ４２、及びごみ箱本体３内部の状況を観察するための覗き窓４３が設けられている。
【００１０】
前述の構造が組み合わされて本考案のシュレッダーを具えたペダル式ごみ箱１００が構成されている。蓋体４が閉じ合わされる時、蓋体４の開口４１より廃紙を挿入して、シュレッダー５により廃止を切断することができ、並びに直接シュレッダー５の下方の出口５２よりごみ箱本体３内に落とすことができる。また、ペダル３４が踏まれる時、蓋体４が開放されて一般のごみを捨てるのに便利である。また、ごみ箱本体３の開口内縁に押し棒３７が設けられ、蓋体４が閉じ合わされる時にシュレッダー５のマイクロスイッチ（図示せず）に接触してシュレッダーの電源を導通させ、蓋体４が開放される時、マイクロスイッチと押し棒３６が分離して電源が切断され、これによりシュレッダー５に誤って接触することによる危険を防止する。
【００１１】
図５に示されるように、本考案はシュレッダー５を使用する時、蓋体４が閉合状とされ、廃紙６が蓋体４の開口４１より投入され、シュレッダー５によりそれが切断され、並びにシュレッダー５の下方出口５２より落下し、並びに切断後の紙が直接ごみ箱本体３内に落ち、且つシュレッダー５は内部に被包されているため騒音が低減される。
【００１２】
一般のごみを捨てる時は、ペダル３４を踏めば支持片３３が上昇して蓋体４を押し上げ（図６）、ごみ箱本体３の開口を開放し、一般のごみをごみ箱本体３内に捨てることができ、並びに覗き窓４３でごみがいっぱいになったか否かをチェックするのに便利である。
【００１３】
前述の蓋体４の開放、閉合の動作の時、支持片３３のリブ３３１は軟性ゴム片３６に沿って上下に移動し（図７）、リブ３３１と軟性ゴム片３６の斜面が同方向とされ、このため順調に上昇し、蓋体４が閉合される時、該支持片３３は下に移動し、リブ３３１の平面と軟性ゴム片３６の平面は同方向とされるため、摩擦抵抗を形成し、緩衝作用が形成され、これにより蓋体４の重力によるごみ箱本体３に対する直接衝突によるシュレッダー５の損壊が防止される。
【図面の簡単な説明】
【００１４】
【図１】周知のシュレッダーを具えたごみ箱の立体図である。
【図２】本考案の立体図である。
【図３】本考案の立体分解図である。
【図４】本考案のシュレッダー取付表示図である。
【図５】本考案の動作実施例図である。
【図６】本考案の動作実施例図である。
【図７】本考案のゴム片とリブの動作実施例図である。
【符号の説明】
【００１５】
１  シュレッダー          ２  ごみ箱            ３  ごみ箱本体
３１  フック              ３２  滑り溝          ３３  支持片
３３１  リブ              ３４  ペダル          ３５  嵌合溝
３６  ゴム片              ３７  押し棒          ４  蓋体
４０  ゴムフレーム        ４１  開口            ４２  電源スイッチ
４３  覗き窓              ５  シュレッダー      ５１  入口
５２  出口                ６  廃紙
１００  シュレッダーを具えたペダル式ごみ箱
【図１】
0003105100.tif 000003
【図２】
0003105100.tif 000004
【図３】
0003105100.tif 000005
【図４】
0003105100.tif 000006
【図５】
0003105100.tif 000007
【図６】
0003105100.tif 000008
【図７】
0003105100.tif 000009